(57)【要約】【課題】  尻栓の操作感にしっとりした高級感を与え、鮎竿等の高級な釣竿に相応しい重厚なフィーリングを与える尻栓の緩み止め構造を提供する。【解決手段】  元竿１の竿尻端部に尻栓３をネジ止め固定している。元竿１の竿尻端部における内周面に雌ネジ部１Ａを形成し、尻栓３の雄ネジ部３Ａを介して螺着してある。元竿１側の雌ネジ部１Ａと尻栓３側の雄ネジ部３Ａとの間には、ゴム系塗料製の緩み止め被覆層２が形成されており、尻栓３の緩み防止を図っている。【選択図】図１
2019141002.tif 000002
【特許請求の範囲】
【請求項１】
繊維強化樹脂製の元竿の竿尻端部にネジ止め構造を介して尻栓を取付け、前記ネジ止め構造におけるネジ部の歯面に緩み止め被覆層を形成してある尻栓取付構造。
【請求項２】
繊維強化樹脂製の元竿の竿尻端部の内周面に尻栓取付用の雌ネジ部雄ネジ部を形成し、前記雌ネジ部の歯面に緩み止め被覆層を形成してある尻栓取付構造。
【請求項３】
元竿の竿尻端部の外周面に尻栓取付用の雄ネジ部を形成し、前記雄ネジ部の歯面に緩み止め被覆層を形成してある尻栓取付構造。
【請求項４】
前記緩み止め被覆層が前記歯面に塗布されたゴム系塗料である請求項１〜３の内のいずれか一つに記載の尻栓取付構造。
【請求項５】
前記緩み止め被覆層と前記歯面との間に粗面化処理を施された粗面層が形成されている請求項１〜４の内のいずれか一つに記載の尻栓取付構造。
【発明の詳細な説明】
【技術分野】
【０００１】
本発明は、鮎竿や鞆の柄に使用されている尻栓の緩み止め構造に関する。
【背景技術】
【０００２】
元竿１の竿元側端部１Ｂの内周面に雌ネジ部１ａを形成すると共に，尻栓４の大径摘まみ部４Ａの竿先側に雄ネジ部４ａを形成して、尻栓４を螺着可能に構成してある（特許文献１：部品番号は文献内番号である）。
【先行技術文献】
【特許文献】
【０００３】
【特許文献１】特開２００８−１４２０２３号公報（段落番号〔００１６〕）
【発明の概要】
【発明が解決しようとする課題】
【０００４】
上記元竿１の竿元側端部１Ｂの内周面に形成された雌ネジ部１ａと，尻栓４の大径摘まみ部４Ａの竿先側に形成された雄ネジ部４ａとは、比較的緩やかな噛み合いをするものに形成してあった。
従って、尻栓を締め込んでいく操作時にガタツキが生じ、操作感が良くなかった。その為に、締め付け力を向上させる為にＯリングを装着してあったが、そのＯリングが尻栓のガタツキを受けて早期に傷む懸念もあった。
更には、元竿１の竿元側端部１Ｂの内周面に雌ネジ部１ａを形成してあるので、強化繊維がネジ面に表出する虞があり、この強化繊維が直接尻栓の表面に接触し、尻栓表面のアルマイト加工を傷める虞もあった。
【０００５】
本発明の目的は、上記課題を考慮して、尻栓の操作感にしっとりとした感覚を与え、鮎竿等の高級高価な釣竿に相応しい重厚なフィーリングを与える尻栓の緩み止め構造を提供する点にある。
【課題を解決するための手段】
【０００６】
〔構成〕
請求項１に係る発明の特徴構成は、繊維強化樹脂製の元竿の竿尻端部にネジ止め構造を介して尻栓を取付け、前記ネジ止め構造におけるネジ部の歯面に緩み止め被覆層を形成してある点にあり、その作用効果は次の通りである。
【０００７】
〔作用〕
尻栓のネジ止め構造に緩み止め被覆層を形成することによって、尻栓を締め込んでいく操作過程においても、締め込み完了する時点において、ガタツキのない良好な操作感を得ることができる。
締め込んだ状態で尻栓がガタツクことがないので、Ｏリング等が早期に傷むことも回避できる。
また、緩み止め被覆層がネジ部の歯面を被覆するものであるので、元竿内の強化繊維が表出することを阻止でき、尻栓が傷むことを抑制でき、尻栓の表面を保護するアルマイト加工等の処理を必要としない。
【０００８】
〔効果〕
これによって、しっとりとした操作感により、鮎竿等の高級高価な釣竿に相応しい重厚なフィーリングを与えることが可能になった。
【０００９】
〔構成〕
請求項２に係る発明の特徴構成は、繊維強化樹脂製の元竿の竿尻端部の内周面に尻栓取付用の雌ネジ部を形成し、前記雌ネジ部の歯面に緩み止め被覆層を形成してある点にあり、その作用効果は次の通りである。
【００１０】
〔作用〕
尻栓を締め込む雌ネジ部に緩み止め被覆層を形成することによって、尻栓を締め込んでいく操作過程においても、締め込み完了する時点において、ガタツキのない良好な操作感を得ることができる。
また、締め込んだ状態で尻栓が、ガタツクことがないので、Ｏリング等が早期に傷むことを回避できる。
また、緩み止め被覆層が雌ネジ部の歯面を被覆するものであるので、元竿内の強化繊維が表出することを阻止でき、尻栓が傷むことを抑制でき、尻栓の表面を保護するアルマイト加工等の処理を必要としない。
【００１１】
〔効果〕
これによって、しっとりとした操作感により、鮎竿等の高級高価な釣竿に相応しい重厚なフィーリングを与えることが可能になった。
【００１２】
〔構成〕
請求項３に係る発明の特徴構成は、元竿の竿尻端部の外周面に尻栓取付用の雄ネジ部を形成し、前記雄ネジ部の歯面に緩み止め被覆層を形成してある点にあり、その作用効果は次の通りである。
【００１３】
〔作用効果〕
つまり、尻栓を締め込む雄ネジ部に緩み止め被覆層を形成することによって、尻栓を締め込んでいく操作過程においても、締め込み完了する時点において、ガタツキのない良好な操作感を得ることができる。
また、締め込んだ状態で尻栓が、ガタツクことがないので、Ｏリング等が早期に傷むことを回避できる。
また、緩み止め被覆層が雄ネジ部の歯面を被覆するものであるので、元竿内の強化繊維が表出することを阻止でき、尻栓が傷むことを抑制でき、尻栓の表面を保護するアルマイト加工等の処理を必要としない。
【００１４】
〔効果〕
これによって、しっとりとした操作感により、鮎竿等の高級高価な釣竿に相応しい重厚なフィーリングを与えることが可能になった。
【００１５】
〔構成〕
請求項４に係る発明の特徴構成は、前記緩み止め被覆層が前記歯面に塗布されたゴム系塗料である点にあり、その作用効果は次の通りである。
【００１６】
〔作用効果〕
つまり、ゴム系塗料でネジ面を被覆することによって、ゴム系塗料の弾力性によって、雌ネジ部と雄ネジ部とに適度な付勢力を与え、雌ネジ部と雄ネジ部とのガタツキを抑制できる。
しかも、ゴム系塗料は十分薄く塗布することができるので、塗布されたゴム系塗料は、雌ネジ部と雄ネジ部との小さな噛み合い間隙の間においても、両者の嵌合状態を阻害することなくその間隙相当位置に存在して、緩み止め機能を発揮する。
【００１７】
〔構成〕
請求項５に係る発明の特徴構成は、前記緩み止め被覆層と前記歯面との間に粗面化処理を施された粗面層が形成されている点にあり、その作用効果は次の通りである。
【００１８】
〔作用効果〕
つまり、粗面層の存在によって、緩み止め被覆層を塗布する際にも塗料の所謂ノリがよく、緩み止め被覆層を剥がれにくく安定したものにできる。
【図面の簡単な説明】
【００１９】
【図１】図１は、尻栓を元竿に装着した状態を示す縦断側面図である。
【図２】図２（ａ）は、芯金にグラス製プリプレグパターンを巻回して第１補助層を形成する前の状態を示す図、（ｂ）は芯金にカーボン製プリプレグパターンを巻回して第２補助層を形成する前の状態を示す図である。
【図３】図３（ｃ）は３つのメインパターンを巻回する前の状態を示す図、（ｄ）はメインパターンを巻回してメイン層を形成した状態を示す図、（ｅ）は第１補助層をリーマで研削する状態を示す図である。
【図４】図４（ｆ）はダイアモンドカッターで第２補助層に雌ネジ部を形成する状態を示す縦断側面図、（ｇ）は雌ネジ部に吹き付け塗装を施し緩み止め被覆層を形成する状態を示す縦断側面図である。
【図５】図５は、伸縮式竿の尻栓止付構造に緩み止め被覆層を形成した状態を示す縦断側面図である。
【図６】図６は、元竿の竿尻端部に雌ネジ部を形成した状態を示す縦断側面図である。
【図７】図７は、第２補助層に雌ネジ部を形成して、そのネジ面に緩み止め被覆層を形成した状態を示す縦断側面図である。
【図８】図８は、元竿の竿尻端部の雌ネジ部と尻栓の雄ネジ部とが嵌合した状態を示す縦断側面図である。
【図９】図９は、元竿の竿尻端部の小径ボス部に形成した雄ネジ部に緩み止め被覆層を形成した状態を示す縦断側面図である。
【発明を実施するための形態】
【００２０】
〔第１実施形態〕
鮎竿Ａ等の元竿１に使用される尻栓取付構造について説明する。
図１に示すように、元竿１の竿尻端部に尻栓３をネジ込み固定している。元竿１の竿尻端部における内周面に雌ネジ部１Ａを形成し、尻栓３の雄ネジ部３Ａを介して螺着してある。元竿１側の雌ネジ部１Ａと尻栓３側の雄ネジ部３Ａとの間には、ゴム系塗料製の緩み止め被覆層２が形成されており、尻栓３の緩み防止を図っている。
尻栓３と元竿１の竿尻端部との間には、Ｏリング１３が介在されている。
【００２１】
緩み止め被覆層２について説明する。図４（ｇ）で示すように、緩み止め被覆層２は、前記したように、ゴム系塗料で出来ている。この塗料を吹き付け塗装方法により、略３ｍｍ／１００厚さで元竿１側の雌ネジ部１Ａの歯面に吹き付けて、緩み止め被覆層２を形成する。
ここで、使用される塗料は、ウレタン樹脂やエポキシ樹脂の塗料、または、ウレタン樹脂等に比べて軟質性の高いゴム入りのゴム系塗料が使用される。ゴム系塗料としては、例えば市販品としては、例えば、ソフトフィール塗料ネオラバサン（武蔵塗料株式会社製）などが挙げられる。
【００２２】
緩み止め被覆層２は、図１で示すように、元竿１側の雌ネジ部１Ａと尻栓３側の雄ネジ部３Ａとの間に介在して、尻栓３の緩み止め等の機能を有する。そして、緩み止め機能以外に、尻栓３を回転させ乍ら締め込んでいく際に、締め込む手指に適度な抵抗感を与え、この抵抗感が寧ろ操作の重厚感に繋がって、高級高価な釣竿である鮎竿の価値を高めるものと期待される。
【００２３】
元竿１や緩み止め被覆層２等を、製作手順を追って説明する。
図２（ａ）に示すように、元竿１を巻き付け形成するだけの長さに相当する芯金４に対して、第１補助層６を形成するグラス製プリプレグパターン６Ａを、元竿１側の雌ネジ部１Ａ形成位置に、巻回する。
【００２４】
グラス製プリプレグパターン６Ａは、強化繊維がグラス製であり、その厚みによって、１プライか又は複数プライ巻回して、所定厚の緩み止め被覆層２に相当する第１補助層６を形成している。
グラス製プリプレグパターン６Ａを最内層として施すのは、図３（ｅ）で示すように、グラス製プリプレグパターン６Ａの部分にリーマ加工を施す為である。
【００２５】
元竿１側の雌ネジ部１Ａの歯面に塗料を施すことは、尻栓３側の雄ネジ部３Ａとの間隙が狭くなるので、ネジ歯同士の噛み合いがうまくいかなくなる虞があるが、その分、リーマ加工を施して、一旦、間隙を確保している。
このような間隙を確保する手段としては、芯金４の径を大きくする方法がある。がしかし、単に芯金径を大きくするだけでは、元竿の内周面に芯金に巻回され焼成された際の残渣等が付着しているので、その上から塗料を吹き付けても、塗料の付着が悪いという問題が残る。つまり、芯金４に一旦プリプレグを巻き付けて所定の製作工程を経た後、成型された竿素材を芯金４から抜き出した場合に、竿素材の内周面が塗料の付着が悪い面になっているところから、塗料の付着をよくする手立てを施す必要がある。
【００２６】
その手段が前記したリーマ加工であり、これによって、塗料を付着させる表面を粗面化することができ、塗料の付着を良好なものにできる。しかも、このリーマ加工によってネジ形成面の拡径化が可能になり、芯金４を大径化する必要はなくなった。
【００２７】
次に、図２（ｂ）で示すように、グラス製プリプレグパターン６Ａを巻回した上から、カーボン製プリプレグパターン７Ａを巻回する。カーボン製プリプレグパターン７Ａを複数プライ巻回して、グラス製プリプレグパターン６Ａの巻回厚より１０倍近い厚さに形成し、雌ねじ切削が可能な第２補助層７を形成する。
【００２８】
このように、元竿１の竿尻端部相当位置に第１、第２補助層６，７を巻回した後に、その上から複数枚のプリプレグ製メインパターンを巻回して元竿１を形成する。
つまり、図３（ｃ）及び（ｄ）に示すように、第１、第２補助層６，７を巻回した芯金４に対してメイン層５のプリプレグ製メインパターンを巻回して竿素材を構成する。メイン層５のプリプレグ製メインパターンは、３層構造になっており、外側のプリプレグ製メインパターン５Ｃを、円周方向に沿って引き揃え配置された強化繊維ａ群に対して熱硬化性樹脂を含浸させて形成する。中間のプリプレグ製メインパターン５Ｂを、竿の軸線方向に沿って引き揃え配置された強化繊維ａ群に対して熱硬化性樹脂を含浸させて形成する。内側のプリプレグ製メインパターン５Ａとして、円周方向に引き揃え配置された強化繊維ａ群に対して熱硬化性樹脂を含浸させて形成する。強化繊維ａとしては炭素繊維等が使用され、熱硬化性樹脂としてはエポキシやフェノール樹脂等が使用される。
【００２９】
以上のように構成された製作物は、図示していないが、所定のテープが巻き付けられ、芯金４とともに焼成され、テープが剥がされて、竿素材の原型ができる。この竿素材の原型に対して、所定の製作が行われる。
【００３０】
図３（ｅ）に示すように、第２補助層７と第１補助層６との境界面に粗面化を施す為に、リーマ８を使用する。リーマは先端側の案内部８Ａと前記案内部８Ａより僅かに大径の切削部８Ｂとで構成され、切削部８Ｂの外径Ｄ5は、第２補助層７の内面径と略同一のものであり、塗装の厚みに相当する第１補助層６のグラス製プリプレグパターン６Ａの厚み分が研削除去される。
【００３１】
このリーマ８の研削処理によって、前記したように、塗料を付着させる雌ネジ部１Ａのネジ山及びネジ底までの表面を粗面化（活性化）することができ、塗料の付着を良好なものにできる。しかも、このリーマ加工によってネジ形成面の拡径化が可能になり、芯金４を大径化する必要はなくなった。
以上のように、リーマ加工により粗面化処理を受けた雌ネジ部１Ａの表面を粗面層と称する。
【００３２】
次に、図４（ｆ）に示すように、歯切り工具としてダイアモンドカッター９を使用して、雌ネジ部１Ａを形成する。ダイアモンドカッター９の切削径ｄは、第２補助層７の内周面径Ｄより小さく、ダイアモンドカッター９が軸周りで回転しながら、自身が公転するか、竿素材側を軸芯周りで回転させて、歯切り加工を行って、元竿１側の雌ネジ部１Ａを形成する。
なお、ダイアモンドカッター９は、切削径ｄの異なる２種類のものが用意されている。
【００３３】
歯切り加工が終わると、図４（ｇ）及び図７に示すように、吹き付けノズル１０によって、元竿１側の雌ネジ部１Ａの歯面に、厚さtで前記したゴム系塗料が塗布される。例えば、厚さｔとしては、３／１００ｍｍ厚が採用される。
塗布の方法としては、図示するように、奥側から後端部開口に向けて移動させながら、雌ネジ部１Ａに吹き付けノズル１０で吹き付け塗装を行う。この場合に、吹き付けノズル１０か竿素材を相対移動させ、吹き付けノズル１０を軸芯周りで回転させながら行う。吹き付け方法は奥側に向かって行ってもよい。
【００３４】
吹き付けノズル１０の吹き付け空間内への差し込み方向は、図面では元竿１の軸芯位置に沿っているが、それに傾斜する方向で行ってもよい。その場合には、塗装の厚みが奥側と開口側では変わってくるので、リーマの切削面を円筒状ではなく、円錐台状に形成することも必要である。
以上によって、雌ネジ部１Ａの歯面に緩み止め被覆層２が形成される。
【００３５】
尻栓３の構成について説明する。図１に示すように、尻栓３は、大径の摘み部３Ｂとその摘み部３Ｂより小径の雄ネジ部３Ａとを備え、雄ネジ部３Ａの内部に水抜き空間３ａを形成し、その水抜き空間３ａの先端に元上等の竿受け３Ｃを装着して、構成してある。
【００３６】
尻栓３の材質はアルミ製である。但し、アルマイト加工処理は必要ではない。前記した雌ネジ部１Ａにゴム系塗料が塗布されることによって、尻栓３が元竿１を構成する繊維強化樹脂内のササクレだった強化繊維との直接接触が回避されるからであると考えられている。
それでも、他の必要性が考えられるならば、アルマイト加工処理を行ってもよい。
【００３７】
次に、雌ネジ部１Ａの詳細について説明する。図６から８に示すように、雌ネジ部１Ａは、元竿１の竿尻端より竿先側に長さＬだけ入り込んだ位置まで形成してある。雌ネジ部１Ａの歯部形状は台形ネジ形状を呈しており、ピッチＰで配列形成してある。
これに対して尻栓３の雄ネジ部３Ａも同様に、台形ネジ形状を呈しており、ピッチＰで配列形成してある。
【００３８】
ピッチＰで台形ネジが形成されているので、ピッチＰを、強化繊維を切断することがすくない間隔に設定することによって、ネジ切工程の際に、強化繊維を切断することが少ない。例えば、ピッチＰとしては、１．５ｍｍ等が採用される。
【００３９】
図８に示すように、雌ネジ部１Ａの内径Ｄ1と谷径Ｄ2との差、つまり、歯の高さは、具体的には内径Ｄ1の1／８０位である。雄ネジ部３Ａの外径Ｄ3と谷径Ｄ4との差、つまり、歯の高さは、具体的には外径Ｄ3の1／６０位で、雌ネジ部１Ａよりやや高くなっている。
【００４０】
上記したように、特殊なネジ形状を呈しているので、従来、締め込み操作時のガタツキがあり、フィーリングが良くなかったのを、ゴム系塗料が塗布されることによって、雌ネジ部１Ａと雄ネジ部３Ａとの間隙部分を十分小さくすることができ、フィーリング良く、操作感に鮎竿に相応しい高級感を付与できた。
このように、雌ネジ部１Ａと雄ネジ部３Ａとの間に、ゴム系塗料製の緩み止め被覆層２が形成される。
【００４１】
〔第２実施形態〕
図９に示すように、元竿１の竿尻端に突設させたボス部１Ｄの外周面に雄ネジ部１Ｅを形成し、その雄ネジ部１Ｅに前記した吹き付け塗装を施す。つまり、元竿１の竿尻端に小径のボス部１Ｄを突設させ、そのボス部１Ｄの外周面に雄ネジ部１Ｅを形成する。雄ネジ部１Ｅの諸元は前記した雌ネジ部１Ａと同一に設定する。一方、尻栓３の懐空間の内周面に雌ネジ部３Ｄを形成し、この雌ネジ部３Ｄの諸元を前記した雄ネジ部３Ｂの諸元と同じにする。
この雄ネジ部１Ｅの歯面にゴム系塗料を塗布して、緩み止め被覆層２を形成する。
【００４２】
〔第３実施形態〕
前記した尻栓取付構造を、伸縮式振出竿に適用する形態について説明する。
図５に示すように、元竿１の後端に、元上１１の竿元側端部１１Ａを保持する保持具１２を嵌着固定し、保持具１２に尻栓３を螺着し、元上１１を収縮保持する機構を構成する。
【００４３】
保持具１２の内周面に雌ネジ部１２Ａを形成し、尻栓３の筒状部に雄ネジ部３Ａを形成して、保持具側の雌ネジ部１２Ａの歯面に前記したゴム系塗料を塗布して緩み止め被覆層２を形成してある。
【００４４】
〔別実施形態〕
（１）緩み止め被覆層２は、図１に示す尻栓３の雄ネジ部３Ａ又は図９に示す尻栓３の雌ネジ部３Ｄに施してもよい。
（２）緩み止め被覆層２を形成するゴム系塗料としては、ソフトフィール塗料ネオラバサン（武蔵塗料株式会社製）と同等の性能を発揮するものであればよい。
（３）本発明は、鮎竿の尻栓３だけでなく、玉の柄等の尻栓の止付け構造に適用してもよい。
【産業上の利用可能性】
【００４５】
本願発明は、高級感が要求される鮎竿等の尻栓止付け構造を提供することができる。
【符号の説明】
【００４６】
１            元竿
１Ａ          雌ネジ部
１Ｄ          ボス部
１Ｅ          雄ネジ部
２            緩み止め被覆層
３            尻栓
３Ａ          雄ネジ部
３Ｂ          摘み部
３Ｃ          竿受け
３Ｄ          雌ネジ部
３ａ          水抜き空間
４            芯金
５            メイン層
５Ａ          内側のプリプレグ製メインパターン
５Ｂ          中間のプリプレグ製メインパターン
５Ａ          外側のプリプレグ製メインパターン
６            第１補助層
６Ａ          グラス製プリプレグパターン
７            第２補助層
７Ａ          カーボン製プリプレグパターン
８            リーマ
９            ダイアモンドカッター
１０          吹き付けノズル
１１          元上
１１Ａ        竿元側端部
１２          保持具
１２Ａ        雌ネジ部
１３          Ｏリング
Ａ            鮎竿
Ｄ            第２補助層７の内周面径
Ｄ1           雌ネジ部の内径
Ｄ2           雌ネジ部の谷径
Ｄ3           雄ネジ部の外径
Ｄ4           雄ネジ部の谷径
Ｐ            ネジ部のピッチ
ｄ            ダイアモンドカッター９の切削径
t            ゴム系塗料の塗布厚さ
【図１】
2019141002.tif 000003
【図２】
2019141002.tif 000004
【図３】
2019141002.tif 000005
【図４】
2019141002.tif 000006
【図５】
2019141002.tif 000007
【図６】
2019141002.tif 000008
【図７】
2019141002.tif 000009
【図８】
2019141002.tif 000010
【図９】
2019141002.tif 000011